(57)【要約】【課題】不正をより有効に防止することの可能な遊技機を提供する。【解決手段】パチンコ機１は、外枠２と、該外枠２の前部に設けられ外枠２の一側部にて開閉可能に支持された前面枠３とを備えている。前面枠３の前面側には、遊技球Ｂの発射部よりも上方においてガラス扉枠４が設けられている。前面枠３の後部には、遊技盤５が着脱可能に装着されている。ガラス扉枠４の下方には、遊技球Ｂを貯留するための上皿６の一体形成された前飾り枠９が設けられている。また、前面枠３の前面下部には、左右方向ほぼ中央部において下皿７が設けられている。ガラス扉枠４が複数の扉体により構成され、少なくとも１つには、当該扉体及び他の扉体のうち少なくとも１つの施錠状態を解除するための鍵部が臨んでおり、遊技盤５に最も近い側の鍵部が、非露出状態に被覆される。【選択図】　　　　　図１
2004008332.tif 000002
【特許請求の範囲】
【請求項１】
遊技者の利益を左右する遊技部材の前面側において開閉可能に支持された複数の扉体を備えた遊技機であって、
前記複数の扉体のうち、少なくとも１つには、当該扉体及び他の扉体のうち少なくとも１つの施錠状態を解除するための鍵部が臨んでおり、前記遊技部材に最も近い側の鍵部を、非露出状態に被覆するよう構成したことを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、遊技機の一種として、遊技盤面上における遊技球の挙動に起因して種々の遊技状態が導出されるパチンコ機が知られている。このようなパチンコ機は、外枠と、その前部に設けられた前面枠とを備えている。前面枠は外枠の一側部にて開閉可能に支持されている。前面枠の前面側には、その一側部にてガラス扉枠が開閉可能に設けられている。また、前面枠には、ガラス扉枠の奥側において、遊技盤が着脱可能に装着されており、発射された遊技球は遊技盤の上部に向けて案内され、遊技盤に沿って流下する。そして、遊技盤に設けられた入賞口等に遊技球が入賞することで、遊技者に景品球が払い出される。
【０００３】
また、ガラス扉枠のうち支持部とは反対側の側部には切欠きが形成されており、そこは前面枠の一部が露出している。該露出部分に対応して、鍵部たるシリンダ錠が設けられている。そして、ガラス扉枠の閉鎖状態にあっては、シリンダ錠の鍵穴にキーが差し込まれた状態で、キーが所定方向へ回動操作されることにより、前面枠に対するガラス扉枠の施錠状態が解除され、ガラス扉枠が開放可能となる。
【０００４】
近年、巧妙な手口で前記シリンダ錠を操作し、ガラス扉枠を開放した上で、不正に遊技球を入賞させるといった悪質な行為が散見されるようになってきている。ここで、従来の構造では、ガラス扉枠が一旦開かれてしまうと、遊技盤が露出状態となってしまうため、容易に上記不正が行われてしまうおそれがある。
【０００５】
本発明は、上述した問題に鑑みてなされたものであって、その目的は、不正をより有効に防止することの可能な遊技機を提供することにある。
【０００６】
【課題を解決するための手段及び発明の効果】
上記の目的を達成するために有効な手段を以下に示す。なお、必要に応じてその作用効果等についても説明する。
【０００７】
手段１．遊技者の利益を左右する遊技部材の前面側において開閉可能に支持された複数の扉体を備えた遊技機であって、
前記複数の扉体のうち、少なくとも１つには、当該扉体及び他の扉体のうち少なくとも一つの施錠状態を解除するための鍵部が臨んでおり、前記遊技部材に最も近い側の鍵部を非露出状態に被覆するよう構成したことを特徴とする遊技機。
【０００８】
手段１によれば、遊技者の利益を左右する遊技部材の前面側において複数の扉体が開閉可能に支持される。かかる複数の扉体のうち、少なくとも１つに臨む鍵部が操作されることにより、当該扉体及び他の扉体のうち少なくとも一つの施錠状態が解除される。さて、手段１では、遊技部材に最も近い側の鍵部が非露出状態で被覆されている。このため、遊技部材に最も近い側の鍵部を不正に操作して遊技部材を露出状態にしようとした場合、該鍵部に対する被覆を解除し、露出状態としなければならない。従って、上記不正行為をより行いにくいものとすることができる。また、前記被覆状態の解除に際し、不正行為をより発見しやすいというメリットもある。
【０００９】
手段２．遊技者の利益を左右する遊技部材の前面側において開閉可能に支持された複数の扉体を備えた遊技機であって、
前記複数の扉体のうち、少なくとも１つには、当該扉体の施錠状態を解除するための鍵部が設けられており、前記遊技部材に最も近い側の鍵部をそれよりも前面側の扉体で非露出状態に被覆するよう構成したことを特徴とする遊技機。
【００１０】
手段２によれば、遊技者の利益を左右する遊技部材の前面側において複数の扉体が開閉可能に支持される。かかる複数の扉体のうち、少なくとも１つに設けられた鍵部が操作されることにより、当該扉体の施錠状態が解除される。さて、手段２では、遊技部材に最も近い側の鍵部がそれよりも前面側の扉体で非露出状態に被覆されている。このため、遊技部材に最も近い側の鍵部を不正に操作して遊技部材を露出状態にしようとした場合、前面側の扉体による鍵部に対する被覆を解除し、露出状態としなければならない。従って、上記不正行為をより行いにくいものとすることができる。また、前記被覆状態の解除に際し、不正行為をより発見しやすいというメリットもある。ここで、「鍵部が設けられており、」とあるのは、必ずしも直接的に取付けられていなくてもよく、鍵部が操作可能に臨んでいる場合も含む趣旨である。
【００１１】
手段３．前記鍵部は、それよりも前面側の扉体が所定開度以上開かれた場合にのみ操作可能となっていることを特徴とする手段２に記載の遊技機。
【００１２】
手段３によれば、扉体が所定開度以上開かれない限り、鍵部を操作できないため、より一層不正行為を行いにくくすることができる。しかも、扉体が所定回度以上開かれた場合には、例えば遊技場関係者等の他の者に気付かれやすい。従って、不正行為をより容易に発見することができ、かかる意味でもより一層の不正防止を図ることができる。
【００１３】
手段４．前記遊技部材は、入賞口を有する遊技盤であることを特徴とする手段１乃至３のいずれかに記載の遊技機。
【００１４】
手段４のように、入賞口を有する遊技盤を備えた遊技機にあっては、該遊技盤を露出状態とすることで、入賞口に不正に入賞させたりするといった不正が行われることが懸念されるが、上記各手段の作用効果により、効果的に不正防止を図ることができる。
【００１５】
手段５．前記複数の扉体は、
外部から前記遊技盤を視認可能とするための透明部材を有する透明部材支持枠と、
前記透明部材支持枠の前面側に設けられた装飾枠と
を含んでおり、前記遊技部材に最も近い鍵部は前記透明部材支持枠の施錠状態を解除するためのものであることを特徴とする手段１乃至４のいずれかに記載の遊技機。
【００１６】
手段５によれば、従来であれば一体化されていた各枠が分離されることで、構成の複雑化を伴うことなく上記作用効果を奏せしめることができる。しかも、扉体の重量がそれぞれに分散されることとなり、分離された扉体について各支持部にかかる負荷が軽減される。その結果、特殊な支持構造を採用せずとも済み、また、装飾枠に対する装飾等の付加に関し、種々のバリエーションを持たせることも可能となる。なお、「前記透明部材は、板状のガラスによって構成されていること」としてもよい。
【００１７】
手段６．遊技者の利益を左右する遊技盤の前面側において開閉可能に支持された第１の扉体と、
前記第１の扉体よりも前面側において開閉可能に支持された第２の扉体とを備え、
前記少なくとも第１の扉体には、当該第１の扉体の施錠状態を解除するための鍵部が設けられており、その鍵部を前記第２の扉体で非露出状態に被覆するよう構成したことを特徴とする遊技機。
【００１８】
手段６によれば、遊技者の利益を左右する遊技盤の前面側において第１の扉体が開閉可能に支持され、それよりも前面側において第２の扉体が開閉可能に支持される。少なくとも第１の扉体に設けられた鍵部が操作されることにより、当該第１の扉体の施錠状態が解除される。さて、手段６では、遊技盤に近い側の第１の扉枠の鍵部が第２の扉枠で非露出状態に被覆されている。このため、遊技盤に近い側の鍵部を不正に操作して遊技盤を露出状態にしようとした場合、第２の扉体による鍵部に対する被覆を解除し、露出状態としなければならない。従って、上記不正行為をより行いにくいものとすることができる。また、前記被覆状態の解除に際し、不正行為をより発見しやすいというメリットもある。ここで、「鍵部が設けられており、」とあるのは、必ずしも直接的に取付けられていなくてもよく、鍵部が操作可能に臨んでいる場合も含む趣旨である。
【００１９】
手段７．前記第１の扉体は、外部から前記遊技盤を視認可能とするための透明部材を有する透明部材支持枠であり、
前記第２の扉体は、前記透明部材支持枠の前面側に設けられ、遊技盤の遊技領域の視認を許容するための開口を有する装飾枠であることを特徴とする手段６に記載の遊技機。
【００２０】
手段７によれば、従来であれば一体化されていた各枠が分離されることで、構成の複雑化を伴うことなく上記作用効果を奏せしめることができる。しかも、扉体の重量がそれぞれに分散されることとなり、分離された扉体について各支持部にかかる負荷が軽減される。その結果、特殊な支持構造を採用せずとも済み、また、装飾枠に対する装飾等の付加に関し、種々のバリエーションを持たせることも可能となる。
【００２１】
手段８．前記鍵部は、前記第２の扉体が所定開度以上開かれた場合にのみ操作可能となっていることを特徴とする手段６又は７に記載の遊技機。
【００２２】
手段８によれば、第２の扉体が所定開度以上開かれない限り、鍵部を操作できないため、より一層不正行為を行いにくくすることができる。しかも、所定回度以上開かれた場合には、例えば遊技場関係者等の他の者に気付かれやすい。従って、不正行為をより容易に発見することができ、かかる意味でもより一層の不正防止を図ることができる。
【００２３】
手段９．前記鍵部は、前記第２の扉体の支持部近傍に対応して設けられていることを特徴とする手段６乃至８のいずれかに記載の遊技機。
【００２４】
手段９によれば、第２の扉体を所定以上開かない限り、鍵部を操作しづらくなるため、より一層不正行為を行いにくくすることができる。しかも、所定以上開いた場合には、その旨が例えば遊技場関係者等の他の者に気付かれやすい。従って、不正行為をより容易に発見することができ、かかる意味でもより一層の不正防止を図ることができる。
【００２５】
手段１０．前記第２の扉体の施錠状態を解除するための第２鍵部が設けられていることを特徴とする手段６乃至９のいずれかに記載の遊技機。
【００２６】
手段１０によれば、第２鍵部を操作して第２の扉体の施錠状態を解除しなければ、第１の扉体の鍵部を操作することができない。そのため、第１の扉体を開放することによる不正行為に対して、より厳重に対処することができる。
【００２７】
手段１１．前記第１の扉体は、前記第２の扉体の支持部とは異なる辺で支持されていることを特徴とする手段６乃至１０のいずれかに記載の遊技機。
【００２８】
手段１１によれば、第１の扉体の支持部と、第２の扉体の支持部とが互いに異なる辺で支持されるため、第２の扉体を所定以上開放しないと第１の扉体の鍵部を操作できない。このため、より一層不正防止を図りやすい。また、同じ辺の支持部で支持される場合に比べて、支持する側にかかる負荷を分散させることができる。また、支持構造についても込み入った複雑なものとなりにくい。
【００２９】
手段１２．前記第１の扉体は、前記第２の扉体の支持部とは反対側の支持部にて支持されていることを特徴とする手段６乃至１１のいずれかに記載の遊技機。
【００３０】
手段１２によれば、第１の扉体の支持部と、第２の扉体の支持部とが互いに反対側に位置しているため、第２の扉体をより大きく開放しないと第１の扉体の鍵部を操作できない。このため、より一層不正防止を図りやすい。また、同じ側の支持部で支持される場合に比べて、支持する側にかかる負荷を分散させることができる。また、支持構造についても込み入った複雑なものとなりにくい。
【００３１】
手段１３．遊技者の利益を左右する遊技盤の前面側において開閉可能に支持され、外部より前記遊技盤を視認可能とするための透明部材を有する透明部材扉枠を備えた遊技機であって、
前記透明部材扉枠を、
前記透明部材を支持する透明部材支持枠と、
前記透明部材支持枠の前面側にて、該透明部材支持枠と異なる支持部にて支持された装飾枠
とから構成し、少なくとも前記透明部材支持枠の施錠状態を解除するための鍵部が設けられており、該鍵部が前記装飾枠で保護されるよう構成したことを特徴とする遊技機。
【００３２】
手段１３によれば、遊技者の利益を左右する遊技盤の前面側において透明部材扉枠が開閉可能に支持される。手段１３では、透明部材扉枠が、透明部材支持枠と装飾枠とから構成される。すなわち、透明部材を支持する透明部材支持枠の前面側にて装飾枠が支持される。そして、透明部材支持枠の施錠状態を解除するための鍵部が装飾枠で保護される。従って、遊技盤に近い側の鍵部を不正に操作して遊技盤を露出状態にしようとした場合、まずは装飾枠による鍵部に対する保護を解除しなければならない。従って、上記不正行為をより行いにくいものとすることができる。また、前記保護の解除に際し、不正行為をより発見しやすいというメリットもある。
【００３３】
手段１４．外枠に対し開閉可能に支持された前面枠と、
前記前面枠に装着され、遊技者の利益を左右する遊技盤と
を備えた遊技機であって、
前記遊技盤の前面側において、前記前面枠に対し開閉可能に支持され、外部より前記遊技盤を視認可能とするための透明部材を有する透明部材支持枠と、
前記透明部材支持枠の前面側にて、前記前面枠に対し開閉可能に支持され前記遊技盤の遊技領域の視認を許容するべく開口を有してなる装飾枠と
を具備し、少なくとも前記透明部材支持枠の施錠状態を解除するための鍵部が設けられており、該鍵部が前記装飾枠で保護されるよう構成したことを特徴とする遊技機。
【００３４】
手段１４によれば、外枠に対し前面枠が開閉可能に支持される。前面枠に装着された遊技盤において遊技者の利益が左右される。かかる遊技機にあって、遊技盤の前面側において、透明部材支持枠が前面枠に対し開閉可能に支持されており、その透明部材を介して外部より遊技盤が視認される。さらに、透明部材支持枠の前面側にて、装飾枠が前面枠に対し開閉可能に支持されており、その開口から遊技盤の遊技領域の視認が許容される。そして、透明部材支持枠の施錠状態を解除するための鍵部が装飾枠で保護される。従って、遊技盤に近い側の鍵部を不正に操作して遊技盤を露出状態にしようとした場合、まずは装飾枠による鍵部に対する保護を解除しなければならない。従って、上記不正行為をより行いにくいものとすることができる。また、前記保護の解除に際し、不正行為をより発見しやすいというメリットもある。
【００３５】
手段１５．前記鍵部はキーの差し込まれる鍵穴を有しており、前記装飾枠は自身の閉状態にあって前記鍵穴を塞ぐものであることを特徴とする手段１３又は１４に記載の遊技機。
【００３６】
手段１５によれば、装飾枠の閉状態にあっては、鍵部の鍵穴が塞がれる。このため、鍵穴に不正にキーを差し込んで操作しようとしても、上記のように、まずは装飾枠による鍵部に対する保護を解除しなければならない。従って、上記作用効果がより確実に奏されることとなる。
【００３７】
手段１６．前記鍵部は、前記装飾枠が所定開度以上開かれた場合にのみ操作可能となっていることを特徴とする手段１３乃至１５のいずれかに記載の遊技機。
【００３８】
手段１６によれば、装飾枠が所定開度以上開かれない限り、鍵部を操作できないため、より一層不正行為を行いにくくすることができる。しかも、装飾枠が所定回度以上開かれた場合には、例えば遊技場関係者等の他の者に気付かれやすい。従って、不正行為をより容易に発見することができ、かかる意味でもより一層の不正防止を図ることができる。
【００３９】
手段１７．前記装飾枠の施錠状態を解除するための装飾枠鍵部が設けられていることを特徴とする手段１３乃至１６のいずれかに記載の遊技機。
【００４０】
手段１７によれば、装飾枠鍵部を操作して装飾枠の施錠状態を解除しなければ、透明部材支持枠の鍵部を操作することができない。そのため、透明部材支持枠を開放することによる不正行為に対して、より厳重に対処することができる。
【００４１】
手段１８．外枠に対し開閉可能に支持された前面枠に、前記遊技盤が装着され、前記装飾枠鍵部は、前記外枠に対する前記前面枠の施錠状態を解除するための前面枠鍵部をも兼ねていることを特徴とする手段１７に記載の遊技機。
【００４２】
手段１８によれば、装飾枠鍵部と前面枠鍵部とを兼用することができる。従って、鍵部の増大に伴う構成の複雑化、設置スペースの制限による不具合を防止できる。
【００４３】
手段１９．前記透明部材支持枠は、前記装飾枠の支持部とは反対側の支持部にて支持されていることを特徴とする手段１３乃至１８のいずれかに記載の遊技機。
【００４４】
手段１９によれば、透明部材支持枠の支持部と、装飾枠の支持部とが互いに反対側に位置しているため、装飾枠をより大きく開放しないと透明部材支持枠の鍵部を操作できない。このため、より一層不正防止を図りやすい。また、同じ側の支持部で支持される場合に比べて、支持する側（例えば前面枠）にかかる負荷を分散させることができる。また、支持構造についても込み入った複雑なものとなりにくい。
【００４５】
手段２０．手段１乃至１９のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。
【００４６】
手段２１．手段１乃至１９のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００４７】
手段２２．手段１乃至１９のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００４８】
【発明の実施の形態】
以下、パチンコ遊技機（以下、単に「パチンコ機」という）の一実施の形態を、図面に基づいて詳細に説明する。
【００４９】
図１に示すように、パチンコ機１は、外枠２と、該外枠２の前部に設けられ外枠２の一側部にて開閉可能に支持された前面枠３とを備えている。
【００５０】
前面枠３の前面側には、扉体、透明部材扉枠を構成するガラス扉枠４が設けられている。前面枠３の後部（ガラス扉枠４の奥、外枠２の内側）には、遊技盤５が着脱可能に装着されている。
【００５１】
ガラス扉枠４の下方には、遊技球Ｂを貯留するための上皿６の一体形成された前飾り枠９が設けられている。また、前面枠３の前面下部には、左右方向ほぼ中央部において下皿７が設けられている。下皿７の側部には、遊技球発射用ハンドル８が設けられている。ハンドル８は図示しない遊技球発射装置に連結されており、遊技者がハンドル８を回転させることにより、遊技球Ｂが遊技球発射装置から発射される。
【００５２】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００５３】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００５４】
可変表示装置１４は、液晶表示部２０と、該液晶表示部２０を囲むように設けられたセンターフレーム２１とを備えている。液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００５５】
より詳しくは、可変表示装置１４の下方に設けられた作動チャッカー１３に遊技球Ｂが入賞することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００５６】
また、周知のとおり、前記普通入賞チャッカー１１、可変入賞装置１２、作動チャッカー１３に遊技球Ｂが入賞することに基づいて、上皿６又は下皿７に対し所定数の景品球（遊技球Ｂ）が払い出される。また、遊技盤５には、遊技球Ｂの流下方向を適宜分散、調整等するために多数の釘が植設されているとともに、風車等の各種部材（役物）が配設されている。
【００５７】
次に、本実施の形態の特徴部分であるガラス扉枠４の構成について説明する。図２，３に示すように、本実施の形態では、ガラス扉枠４は、透明部材としてのガラス４１，４２を支持するガラス支持枠３１と、その前面側に位置する装飾枠３２とから構成されている。換言すれば、ガラス扉枠４は、第１の扉体、透明部材支持枠を構成するガラス支持枠３１及び第２の扉体を構成する装飾枠３２に分離されている。
【００５８】
ガラス支持枠３１は、透明部材を構成する前後２枚の板状のガラス４１，４２と、これらガラス４１，４２の周縁を支持するための金属製の支持フレーム４３とを備えている。そして、ガラス支持枠３１は、支持フレーム４３の右側部の上下２カ所の軸支部（図示略）において、前面枠３に対し、開閉可能に支持されている。かかる軸支部の構成については、特に限定されるものではなく、例えば一般に採用されている軸支構造を採用することができる。すなわち、蝶番等で開閉可能に支持することとしてもよいし、支持フレーム４３の上下両端に係合突部又は係合凹部を設け、それに対応する前面枠３に係合凹部又は係合突部を設け、両者を係合させることで開閉可能に支持することとしてもよい。
【００５９】
また、ガラス支持枠３１の支持フレーム４３の軸支部とは反対側の側部（閉状態における左端部）及びそれに対応する前面枠３には、ロック機構４４Ａ，４４Ｂがそれぞれ設けられている。該ロック機構４４Ａ，４４Ｂによって、ガラス支持枠３１が閉状態にある場合に、該ガラス支持枠３１が開放不能な状態にロック（施錠）されるようになっている。また、そのロック状態は、鍵部としてのキーシリンダ装置４５Ａ，４５Ｂに対する所定のキー操作によって解除されるように構成されている。なお、図では、４５Ａ，４５Ｂによりキーシリンダ装置が構成されているが、図中４５Ｂに相当する部位を開口形状とし、４５Ａの鍵穴に対しキーを差し込むよう構成されていてもよい。
【００６０】
さらに、装飾枠３２は、その中央において前記遊技領域にほぼ対応するようにして略円形状の開口部５１が形成されている。かかる開口部５１の存在により、前記ガラス４１，４２を介して遊技盤５等を外部から視認できるようになっている。装飾枠３２は、その前面側において、所定の凹凸加工が施された外装部材５２が取着されている。本実施の形態において、前記外装部材５２は、前記開口部５１の下部を除く周縁を囲むようにして設けられ、例えば透明性を有する樹脂材料により構成されている。
【００６１】
かかる装飾枠３２は、その左側部の上下２カ所の軸支部において、前面枠３に対し、開閉可能に支持されている。かかる軸支部の構成についても特に限定されるものではなく、例えば一般に採用されている軸支構造を採用することができる。
【００６２】
また、装飾枠３２の軸支部とは反対側の側部（閉状態における左端部）及びそれに対応する前面枠３には、ロック機構５３（前面枠３側のロック機構については図示略）がそれぞれ設けられている。該ロック機構５３によって、装飾枠３２が閉状態にある場合に、該装飾枠３２が開放不能な状態にロックされるようになっている。さらに、装飾枠３２の軸支部とは反対側の側部中央には切欠き５４が形成されている。そして、前記ロック状態は、該切欠き５４に対応して前面枠３に設けられた装飾枠鍵部としてのキーシリンダ５５に対する所定のキー操作によって解除されるように構成されている。なお、本実施の形態では、前記キーシリンダ５５は、外枠２に対する前面枠３のロック状態を解除するための鍵部をも兼用している。すなわち、前記装飾枠３２のロック状態を解除するためのキー操作とは異なるキー操作（例えば前記装飾枠３２のロック解除に際しては時計方向への回動操作であるのに対し、前面枠３のロック解除に際しては反時計方向への回動操作）によって解除されるように構成されている。
【００６３】
次に、上記のように構成されてなる本実施の形態の作用及び効果について説明する。
【００６４】
本実施の形態では、ガラス扉枠４をガラス支持枠３１及び装飾枠３２により構成することとしている。そして、通常の遊技状態、つまり、ガラス支持枠３１及び装飾枠３２の閉鎖状態にあっては、ガラス支持枠３１のロック状態を解除するためのキーシリンダ装置４５Ａ，４５Ｂが装飾枠３２で保護される。より詳しくは、キーシリンダ装置４５Ａ，４５Ｂ、特にその鍵穴が装飾枠３２で非露出状態に被覆される。ここで、キーシリンダ装置４５Ａ，４５Ｂは、遊技盤５に最も近い側の鍵部に相当するものであるが、かかるキーシリンダ装置４５Ａ，４５Ｂを不正に操作して遊技盤５を露出状態にしようとした場合、まずは装飾枠３１による前記保護を解除しなければならない。従って、不正行為をより行いにくいものとすることができる。
【００６５】
特に、本実施の形態ではガラス支持枠３１及び装飾枠３２が互いに反対側の軸支部で支持されていることから、装飾枠３１を所定開度以上開かなければキーシリンダ装置４５Ａ，４５Ｂの操作を行うことができない。ここで、装飾枠３１を相当開度開いた場合には、遊技場関係者等に容易にその事実が把握される。従って、不正行為をより発見しやすく、かかる意味で、不正行為のさらなる防止を図ることができる。
【００６６】
また、本実施の形態では、装飾枠３２の施錠状態を解除するためのキーシリンダ５５に関して所定のキー操作を行い装飾枠３２のロック状態を解除しなければ、ガラス支持枠３１のキーシリンダ装置４５Ａ，４５Ｂを操作することができない。そのため、上述したガラス支持枠３１を開放することによる不正行為に対して、より厳重に対処することができる。なお、前記キーシリンダ５５は外枠２に対する前面枠３のロック状態を解除するための鍵部をも兼ねているため、鍵部の増大に伴う構成の複雑化、設置スペースの制限による不具合を防止できる。
【００６７】
さらに、ガラス扉枠４の重量が、ガラス支持枠３１及び装飾枠３２にそれぞれ分散されることとなる。従って、１つのガラス扉枠でガラスを支持し、かつ、装飾機能を具備するガラス扉枠を一側にて軸支する必要のあった従来技術とは異なり、ガラス支持枠３１の軸支部及び装飾枠３２の軸支部にかかる負荷を軽減することができる。その結果、特殊な軸支部を採用せずとも済み、従来より存在する軸支構造を採用することができる。また、ガラス扉枠４に対する装飾等の付加に関し、様々なバリエーションを持たせることが可能となる。
【００６８】
尚、上述した実施の形態の記載内容に限定されず、例えば次のように実施してもよい。
【００６９】
（ａ）上記実施の形態では、装飾枠３２の前面枠３に対するロック状態を解除するためのキーシリンダ５５を露出することとしたが、必ずしも装飾枠３２はロック状態に維持されなくてもよい。例えば、図４に示す例では、前面枠３には、該前面枠３の外枠２に対するロック状態を解除するためのキーシリンダ５５が設けられているものの、該キーシリンダ５５は装飾枠３２の閉鎖状態にあっては塞がれる構成となっている。つまり、装飾枠３２には前記実施の形態のような切り欠き５４は形成されていない。かかる構成下、装飾枠３２を閉鎖状態に維持するためのマグネット機構６１等を設けることとしてもよい。この場合、マグネット機構６１は、単なるマグネットによる取着のみが行われていてもよいし、遊技場関係者のみが操作可能ななマグネットキーによって構成されていてもよい。
【００７０】
（ｂ）上記実施の形態では、ガラス支持枠３１及び装飾枠３２の軸支部を互いに反対側に設定することとしているが、同じ側で支持されることとしてもよい。
【００７１】
（ｃ）上記実施の形態では、ガラス扉枠４をガラス支持枠３１及び装飾枠３２に分離することとし、ガラス支持枠３１のロック状態を解除するためのキーシリンダ装置４５Ａ，４５Ｂを装飾枠３２で保護する構成を採用している。これに対し、従来よりあるガラス扉枠に対し、キーシリンダ５５を非露出状態に被覆する被覆枠を別途設ける構成であってもよい。
【００７２】
（ｄ）上記実施の形態では、ガラス支持枠３１の支持フレーム４３が２枚のガラス４１，４２を支持する場合について具体化しているが、図５に示すように、支持フレーム４３により１枚のガラス４１のみが支持されるよう構成してもよい。そして、装飾枠３２側に別途支持フレーム７１を設け、該支持フレーム７１によってもう１枚のガラス４２を支持することとしてもよい。このように構成しても、上記実施の形態と同様の効果が奏される。
【００７３】
（ｅ）透明部材としての２枚のガラス４１，４２に代えて、１枚のガラスとしてもよいし、３枚以上のガラスとしてもよい。また、ガラス以外にも透明の樹脂板（例えばアクリル樹脂板）等で透明部材を構成してもよい。
【００７４】
（ｆ）上記実施の形態とは異なるタイプのパチンコ機にも適用してもよい。従って、可変表示装置１４のないパチンコ機にも応用できる。また、所謂パチコンと称される遊技機も、ここにいうパチンコ機と同じ概念に含まれるものである。また、本発明は、パチンコ機以外にも雀球、アレンジボール等の遊技機にも応用可能である。さらには、スロットマシン、パチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技媒体はコイン、メダル等が代表例として挙げられる。
【００７５】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【図面の簡単な説明】
【図１】一実施の形態におけるパチンコ機を示す正面図である。
【図２】装飾枠を開いたパチンコ機を斜め上方からみた状態を簡易的に示す斜視図である。
【図３】装飾枠及びガラス支持枠を開いたパチンコ機を斜め上方からみた状態を簡易的に示す斜視図である。
【図４】別の実施の形態におけるパチンコ機を簡易的に示す斜視図である。
【図５】別の実施の形態におけるパチンコ機を簡易的に示す斜視図である。
【符号の説明】
１…遊技機としてのパチンコ機、２…外枠、３…前面枠、４…ガラス扉枠（扉体）、５…遊技盤、３１…扉体、第１の扉体、透明部材支持枠を構成するガラス支持枠、３２…扉体、第２の扉体を構成する装飾枠、４１，４２…透明部材としてのガラス、４３，７１…支持フレーム、４５Ａ，４５Ｂ…鍵部としてのキーシリンダ装置、５１…開口部、５５…装飾枠鍵部、第２鍵部を構成するキーシリンダ、Ｂ…遊技球。
【図１】
2004008332.tif 000003
【図２】
2004008332.tif 000004
【図３】
2004008332.tif 000005
【図４】
2004008332.tif 000006
【図５】
2004008332.tif 000007